(57)【要約】  表示画面に関連するグラフィカルユーザインタフェースを利用している間に、ユーザが表示画面の表面に触れないようにさせることにより、ユーザの指による表示画面の汚れを防ぐ方法及び装置は、前記表示画面からの第１の閾値距離を決定するステップを有し、前記第１の閾値距離内でユーザの指が検出され得、前記方法及び装置は更に、前記表示画面からの第２の閾値距離を決定するステップを有し、前記第２の閾値距離内でユーザの指が検出され得、前記第２の閾値距離は前記第１の閾値距離よりも短く、前記方法及び装置は更に、ユーザの指が前記第１の閾値距離内にあることを検出する第１の検出ステップと、前記第１の検出ステップにおける検出に応じて、前記ユーザに、グラフィカルユーザインタフェースとのインタラクションが可能とされる前記画面の近隣の領域に前記ユーザの指が進入したことを前記ユーザに通知する通知ステップと、を有し、前記グラフィカルユーザインタフェースは、前記ユーザの指の移動により種々の表示機能を操作することを可能とし、前記方法及び装置は更に、ユーザの指が前記第２の閾値距離内にあることを検出する第２の検出ステップと、前記第２の検出ステップにおける検出に応じて、前記ユーザに、前記ユーザの指が禁止領域に進入したことを通知する通知ステップと、を含む。
2008505381.tif 000002
【特許請求の範囲】
【請求項１】
ユーザの指による表示画面の汚れを防ぐ方法であって、前記方法は、
前記表示画面からの第１の閾値距離を決定するステップを有し、前記第１の閾値距離内でユーザの指が検出され得、前記方法は更に、
前記表示画面からの第２の閾値距離を決定するステップを有し、前記第２の閾値距離内でユーザの指が検出され得、前記第２の閾値距離は前記第１の閾値距離よりも短く、前記方法は更に、
ユーザの指が前記第１の閾値距離内にあることを検出する第１の検出ステップと、
前記第１の検出ステップにおける検出に応じて、前記ユーザに、グラフィカルユーザインタフェースとのインタラクションが可能とされる前記画面の近隣の領域に前記ユーザの指が進入したことを前記ユーザに通知する第１の通知ステップと、を有し、前記グラフィカルユーザインタフェースは、前記ユーザの指の移動により種々の表示機能を操作することを可能とし、前記方法は更に、
ユーザの指が前記第２の閾値距離内にあることを検出する第２の検出ステップと、
前記第２の検出ステップにおける検出に応じて、前記ユーザに、前記ユーザの指が禁止領域に進入したことを通知する第２の通知ステップと、
を有する方法。
【請求項２】
前記第２の検出ステップにおける検出の後、ユーザの指が前記第２の閾値を超え、それにより前記ユーザの指が前記禁止領域内に無くなったことを検出する第３の検出ステップと、
前記第３の検出ステップにおける検出に応じて、前記ユーザの指が前記禁止領域を退出したことをユーザに通知する第３の通知ステップと、
を更に有する、請求項１に記載の方法。
【請求項３】
前記通知ステップは、前記グラフィカルユーザインタフェースをアクティブ又は非アクティブにするステップを有する、請求項１に記載の方法。
【請求項４】
前記通知ステップは、可聴の音を生成するステップを有する、請求項１に記載の方法。
【請求項５】
前記可聴の音は、一定の所定の継続時間を持つ、請求項４に記載の方法。
【請求項６】
前記第２の通知ステップは、前記グラフィカルユーザインタフェースを非アクティブにするステップと、連続的な可聴の音を生成するステップとを有し、前記第３の通知ステップは、前記前記グラフィカルユーザインタフェースを再びアクティブにするステップと、前記連続的な可聴の音を終了させるステップとを有する、請求項２に記載の方法。
【請求項７】
前記第１の通知ステップは更に、前記ユーザの指の座標を追跡するカーソルを生成するステップを有し、前記第２の通知ステップは、前記カーソルを生成することを停止するステップを有する、請求項１に記載の方法。
【請求項８】
前記第１の通知ステップは更に、前記ユーザの指の座標を追跡するカーソルを生成するステップと、前記カーソルの仮想的な影を生成するステップとを有し、前記仮想的な影は、前記カーソルの動きを追跡し、前記ユーザの指が前記画面の近傍の領域に進入したときに前記カーソルの座標から所定の量だけシフトされ、前記シフトの量は、前記ユーザの指が前記第２の閾値距離に近づくにつれて減少する、請求項１に記載の方法。
【請求項９】
前記第２の通知ステップは、前記カーソルの外観を変更するステップを有する、請求項８に記載の方法。
【請求項１０】
前記グラフィカルユーザインタフェースは、前記ユーザによる選択的なアクティブ化のための実行可能な機能を表す少なくとも１つのアイコンを含み、前記方法は更に、
前記ユーザの指が前記少なくとも１つのアイコンの上に重なっていることを検出するステップと、
前記ユーザの指が所定の時間よりも長く前記少なくとも１つのアイコンの上に重なっていることが検出された場合に前記アイコンをアクティブにするステップと、
を有する、請求項１に記載の方法。
【請求項１１】
前記グラフィカルユーザインタフェースは、前記ユーザによる選択的なアクティブ化のための実行可能な機能を表す少なくとも１つのアイコンを含み、前記方法は更に、
前記ユーザの指が前記少なくとも１つのアイコンの上に重なっていることを検出するステップと、
前記ユーザの指が前記表示画面から離れる方向に垂直に移動した場合に前記アイコンをアクティブにするステップと、
を有する、請求項１に記載の方法。
【請求項１２】
ユーザの指による表示画面の汚れを防ぐ装置であって、前記装置は、
前記表示画面に対するユーザの指の水平及び垂直座標及び前記表示画面からの前記ユーザの指の距離を検出する３次元センサアレイと、
前記表示画面からの第１の閾値距離を決定する手段と、を有し、前記第１の閾値距離内でユーザの指が検出され得、前記装置は更に、
前記表示画面からの第２の閾値距離を決定する手段を有し、前記第２の閾値距離内でユーザの指が検出され得、前記第２の閾値距離は前記第１の閾値距離よりも短く、前記装置は更に、
ユーザの指が前記第１の閾値距離内にあることを検出する、前記３次元センサアレイに結合された第１の検出手段と、
前記第１の検出手段による検出に応じて前記表示画面のグラフィカルユーザインタフェースをアクティブにする手段と、を有し、前記グラフィカルユーザインタフェースは、前記ユーザの指の動きにより種々の表示機能を操作することを可能とし、前記装置は更に、
ユーザの指が前記第２の閾値距離内にあることを検出する、前記３次元センサアレイに結合された第２の検出手段と、
前記第２の検出手段による検出に応じて、前記ユーザに、前記ユーザの指が禁止領域に進入したことを通知する手段と、
を有する装置。
【請求項１３】
前記３次元センサアレイは静電容量検知アレイである、請求項１２に記載の装置。
【請求項１４】
前記アクティブにする手段は、前記グラフィカルユーザインタフェースに、前記表示画面に対する前記ユーザの指の位置を追跡する視覚的なカーソルを生成させる、請求項１２に記載の装置。
【請求項１５】
前記通知する手段は、前記グラフィカルユーザインタフェースに、前記視覚的なカーソルの生成を停止させる、請求項１４に記載の装置。
【請求項１６】
前記３次元センサアレイは、
複数の交差する光経路を形成し第１の仮想的なタッチスクリーンを確立する、前記表示画面の周囲に配置された第１の複数の発光源及び検出器と、
複数の交差する光経路を形成し第２の仮想的なタッチスクリーンを確立する、前記表示画面の周囲に配置された第２の複数の発光源及び検出器と、
を有し、前記第１の閾値距離を決定する手段は、前記第１の仮想的なタッチスクリーンが前記第１の閾値距離に配置されるように、前記第１の複数の発光源及び検出器を配置し、
前記第２の閾値距離を決定する手段は、前記第２の仮想的なタッチスクリーンが前記第２の閾値距離に配置されるように、前記第２の複数の発光源及び検出器を配置する、請求項１２に記載の装置。
【請求項１７】
前記アクティブにする手段は、前記グラフィカルユーザインタフェースに、前記ユーザの指の座標を追跡するカーソルを生成させ、及び前記カーソルの仮想的な影を生成させ、前記仮想的な影は前記カーソルの動きを追跡し、前記ユーザの指が前記画面の近傍の領域に進入したときに、前記カーソルの座標から所定量だけシフトされ、前記シフトの量は、前記ユーザの指が前記第２の閾値距離に近づくにつれて減少する、請求項１２に記載の装置。
【請求項１８】
前記通知する手段は、前記グラフィカルユーザインタフェースに、前記カーソルの外観を変更させる、請求項１７に記載の装置。
【請求項１９】
前記グラフィカルユーザインタフェースは、前記ユーザによる選択的なアクティブ化のための実行可能な機能を表す少なくとも１つのアイコンを含み、前記装置は更に、
前記ユーザの指が前記少なくとも１つのアイコンの上に重なっていることを検出する手段と、
前記ユーザの指が所定の時間よりも長く前記少なくとも１つのアイコンの上に重なっていることが検出された場合に前記アイコンをアクティブにする手段と、
を有する、請求項１２に記載の装置。
【請求項２０】
前記グラフィカルユーザインタフェースは、前記ユーザによる選択的なアクティブ化のための実行可能な機能を表す少なくとも１つのアイコンを含み、前記装置は更に、
前記ユーザの指が前記少なくとも１つのアイコンの上に重なっていることを検出する手段と、
前記ユーザの指のＸ及びＹ座標が前記アイコンによって定義されるＸＹ平面におけるアクティブ化領域内にある状態で、前記第１の閾値距離に交差する瞬間に、前記ユーザの指が前記表示画面から離れる方向に垂直に移動した場合に、前記アイコンをアクティブにする手段と、
を有する、請求項１２に記載の装置。
【発明の詳細な説明】
【技術分野】
【０００１】
本発明は表示装置に関し、更に詳細には、グラフィカルユーザインタフェース（ＧＵＩ）のための直接操作を可能とする表示装置に関する。本発明は、ディスプレイを指紋で汚すことを防ぐために、ディスプレイに物理的に触れることなく、ユーザが近傍のディスプレイとインタラクトすることを可能とするユーザインタフェースのためのシステム及び方法を記述する。
【背景技術】
【０００２】
タッチスクリーン技術により可能とされる、グラフィカルユーザインタフェースのための直接操作の手法は、現在最も普通の入力手法となっている。なぜなら、当該手法は、関心のあるオブジェクトを指し操作するという着想に従っているからである。直接操作は、検出ハードウェア即ち所謂タッチスクリーン又はタッチセンサをディスプレイ自体に組み込むという更なる利点を持ち、製品の小型な設計を提供し且つ同時に空間の制限を克服する。このように、直接操作は種々の消費者向け表示装置のための魅力的なインタフェース手法であり、ここではインタラクションの自然さ及び直感的さが重要な用件の１つである。
【発明の開示】
【発明が解決しようとする課題】
【０００３】
抵抗型又は音波型のタッチスクリーンのような、殆どの従来のタッチスクリーン技術は、ユーザの指とディスプレイとの間の物理的な接触に依存する。とりわけ自動窓口機（ＡＴＭ）のように、このような接触が許容可能な多くの状況がある。しかしながら、例えばディスプレイミラー、インタラクティブディスプレイ、インタラクティブテーブル、壁面投射等のような他の多くの装置において、美的又は衛生的理由から、指紋による表示面の汚れは許容可能ではない。製品が環境の一部となっている場合には、美的理由が問題となる。一方、例えばテーブル面として及びインタラクディブディスプレイとして働くインタラクティブテーブル又はディスプレイミラーの場合におけるように、製品が２つの機能を持つ場合には、斯かるディスプレイは、該ディスプレイがスイッチオフされたときに指紋の汚れを呈するべきではない。衛生的理由は、医療の用途において重要な役割を果たす。手術環境において利用される医療器具の無菌状態を保証するため、ディスプレイに物理的に触れることなく、グラフィカルユーザインタフェースとインタラクトすることが非常に望ましい。
【０００４】
直接操作を利用し且つ同時に指紋により表面を汚すことを防ぐ表示装置とのインタラクション方式は、表示面の近傍の素手の操作を検出することにより実現され得る。ここでは、検出技術は表示面との物理的な接触に依存しない。技術的には、ディスプレイの近傍の素手を検出する多くの方法がある。
【０００５】
国際特許出願公開ＷＯ０３／０１０４８６は（参照により本明細書に組み込まれたものとする）は、クロスキャパシティブ（cross-capacitive）検知を利用したオブジェクト検知を開示している。米国特許出願公開ＵＳ２００１００３０６４２は、ユーザが実際に表示画面に触れることを必要とすることなくＧＵＩの操作を可能とする多くの手法を開示している。しかしながら、これらの検出手法は場の乱れに依存しており、場はユーザには見えないため、知覚可能な物理的な障壁が無いためにユーザはディスプレイに触れてしまう傾向がある。
【０００６】
本発明の目的は、表示画面に関連するグラフィカルユーザインタフェースを利用している間に、ユーザが表示画面の表面に触れないようにさせることにより、ユーザの指による表示画面の汚れを防ぐ方法及び装置を提供することにある。
【課題を解決するための手段】
【０００７】
本目的は、ユーザの指による表示画面の汚れを防ぐ方法であって、前記方法は、前記表示画面からの第１の閾値距離を決定するステップを有し、前記第１の閾値距離内でユーザの指が検出され得、前記方法は更に、前記表示画面からの第２の閾値距離を決定するステップを有し、前記第２の閾値距離内でユーザの指が検出され得、前記第２の閾値距離は前記第１の閾値距離よりも短く、前記方法は更に、ユーザの指が前記第１の閾値距離内にあることを検出する第１の検出ステップと、前記第１の検出ステップにおける検出に応じて、前記ユーザに、グラフィカルユーザインタフェースとのインタラクションが可能とされる前記画面の近隣の領域に前記ユーザの指が進入したことを前記ユーザに通知する第１の通知ステップと、を有し、前記グラフィカルユーザインタフェースは、前記ユーザの指の移動により種々の表示機能を操作することを可能とし、前記方法は更に、ユーザの指が前記第２の閾値距離内にあることを検出する第２の検出ステップと、前記第２の検出ステップにおける検出に応じて、前記ユーザに、前記ユーザの指が禁止領域に進入したことを通知する第２の通知ステップと、を有する方法において達成される。
【０００８】
以下、意図される上述の及び更なる目的及び利点が示されつつ、本発明が添付図面を参照しながら説明されるであろう。
【発明を実施するための最良の形態】
【０００９】
本発明は、３次元（３−Ｄ）ディスプレイ、即ち、ディスプレイの表面に対するポインタ、スタイラス又はユーザの指の水平及び垂直位置と共に、前記ディスプレイの表面からのポインタ、スタイラス又はユーザの指の距離を検出することが可能なディスプレイを利用する。例えば赤外線検知、静電容量検知等を利用する、種々の既知のタイプの３−Ｄディスプレイがある。３−Ｄディスプレイの１つのタイプは、米国特許出願公開ＵＳ２００２／００００９７７Ａ１に開示されており、参照によって本明細書に組み込まれたものとする。
【００１０】
図１Ａに示されるように、表示画面１０は、導電性の透明な導線のグリッドを重畳され、水平の導線１２は、垂直な導線１４と電気的に絶縁される。接続ブロック１８．１及び１８．２に接続された電圧源１６は、水平及び垂直の導線１２及び１４の両端に電位差を印加する。この構成は、図１Ｂに示されるような、ディスプレイ１０の表面から離れて延在する検出場２０を生じる。ここで、水平及び垂直の導線１２及び１４は、キャパシタのプレートとして働く。
【００１１】
例えば、ユーザの指が検出場２０に進入すると、キャパシタンスが影響を受け、垂直の導線１４に接続されたＸ軸検出器２２及び水平の導線１２に接続されたＹ軸検出器２４により検出される。センサコントローラ２６は、Ｘ及びＹ検出器２２及び２４からの出力信号を受信し、Ｘ及びＹ座標信号及びＺ距離信号を生成する。前記Ｘ及びＹ座標信号はカーソル及び表示コントローラ２８に供給され、次いで該カーソル及び表示コントローラ２８は制御信号を画面上表示コントローラ（ＯＳＤ）３０に供給する。
【００１２】
本発明の代替実施例においては、半３−Ｄディスプレイ、即ち、第１の閾値距離において定義される表示面に平行な面における、ディスプレイの表面に対するポインタ、スタイラス又はユーザの指の水平及び垂直位置を検出することが可能なディスプレイを利用する。加えて、斯かる半３−Ｄディスプレイは、表示面に非常に近接した第２の閾値距離によって決定される禁止領域に、ユーザの指が進入したか否かを別途検出することが可能である。斯かる半３−Ｄディスプレイは、前記第１の閾値の距離に配置された第１の仮想タッチスクリーンを利用することにより実現されることができる。一般に、仮想タッチスクリーンは、複数の交差する光経路を生成するように表示画面の周囲に配置された幾つかの赤外線発光源（即ち送信器）と検出器（即ち受信器）とから構成される。ユーザの指が仮想タッチスクリーンの面と交差すると、該ユーザの指は直角に配置された送信器／受信器の対の特定のものの光送信を遮る。該遮られた対の識別に基づき、仮想タッチスクリーンシステムは、交点のＸ及びＹ座標を決定することができる。仮想タッチスクリーンはこのとき、ポインタ、スタイラス又はユーザの指が、前記第１の閾値に進入した瞬間及び従ってアクティブ領域Ａに進入した瞬間、並びにそのＸ、Ｙ座標を検出する。前記第２の閾値の平面において、ユーザの指が禁止領域Ｆの境界と交差したか否かをチェックするため、第２の仮想タッチスクリーンが確立される。該第２の仮想タッチスクリーンは、前記第１の閾値の平面において利用されたものと同一であっても良いし、又はＸ若しくはＹ軸のいずれかのみに沿ってユーザの指の位置を検出する単純化された仮想タッチスクリーンであっても良い。なぜなら、ユーザの指が禁止領域に進入したか否かだけが関心のあることであり、前記第１の閾値の平面に配置された第１の仮想タッチスクリーンの読み取り値からＸ、Ｙ座標は取得可能であるからである。
【００１３】
図２に示されるように、カーソル及び表示コントローラ２８は、表示画面１０の表面からＺ方向（両方向矢印３２）に延在する２つの領域を確立する。第１の領域Ａは、ユーザの指３４が第１の閾値距離３６を通過したときに、ユーザの指３４が検出されインタラクションが可能とされる領域を示す。第２の領域Ｂは、ユーザの指３４が第２の閾値距離３８を通過したときに、ユーザの指３４が検出されるがインタラクションが可能とされない、禁止領域を示す。第１の閾値距離３６は、例えば表示画面１０の表面から１０ｃｍであり、第２の閾値距離３８は、例えば３ｃｍである。このように、許可されるインタラクション領域、即ち第１の領域Ａは、３ｃｍから１０ｃｍまで延在する。
【００１４】
図３Ａ及び３Ｂは、表示画面１０上の表示の例を示す。ここでは、セクション「Ｃ」及び「Ｄ」を示すアイコン４０及び４２がユーザによって選択され得る。上述の距離の例を利用すると、ユーザの指３４が表示画面１０から１０ｃｍ以上離れている場合には、カーソル及び表示コントローラ２８は、ユーザの指３４が検出領域内には無いとみなし、アイコン４０及び４２はアクティブにされない（網掛けにより示される）。ユーザの指３４が領域Ａに進入すると（図２参照）、カーソル及び表示コントローラ２８はこのことを認識し、アイコン４０及び４２をアクティブにし、ユーザが所望の出力「Ｃ」又は「Ｄ」を選択することを可能とする（図３Ｂに示される）。しかしながら、ユーザがユーザの指３４を領域Ｆに進入する点まで進め続けると、カーソル及び表示コントローラ２８は当該領域Ｆへの進入を検知し、アイコン４０及び４２を非アクティブにする（図３Ａに示される）。
【００１５】
代替の実施例として（又は上述の実施例に加えて）、ユーザの指３４が領域Ａに進入した場合、カーソル及び表示コントローラ２８は、図１に示されるような報知器４４を利用して第１の可聴の音を起動し、システムがアクティブにされることをユーザに通知する。ユーザの指３４が次いで領域Ｆに進入した場合、カーソル及び表示コントローラ２８は、報知器４４を利用して第２の可聴の音を起動しても良い。前記第２の可聴の音は、前記ユーザの指が領域Ｆから退出するとすぐに終了する連続的な音として生成されても良いし、又は領域Ｆへの進入の瞬間に生成される散発的な可聴の音として生成されても良い。後者の場合には、ユーザの指が領域Ｆにあった後に領域Ａに進入した場合、前記第１の可聴の音が生成される。
【００１６】
更なる代替実施例においては（又は上述の実施例に加えて）、ユーザの指３４が領域Ａに進入した場合、カーソル及び表示コントローラ２８は、ＯＳＤ３０に、ユーザの指３４の座標を追跡するカーソルを表示画面１０上に生成させても良い。該カーソルは、物体が水溜りに進入する際に生じるような円形のリプル（ripple）４６の形をとっても良い（図４参照）。しかしながら、当業者は、ここで記載されたリプル型の視覚化以外に、利用され得る多くの種類のカーソルの視覚化が存在することを認識するであろう。本発明は、リプル型のカーソルの視覚化の利用のみに限定されるものではないことは認識されるべきである。カーソル及び表示コントローラ２８はこのとき、ユーザの指３４が領域Ａにある間、該リプルカーソル４６にユーザの指３４の座標位置を追跡させる。ユーザの指３４が領域Ｆに進入した場合（又は領域Ａから退出した場合）、カーソル及び表示コントローラ２８は、少なくともユーザの指３４が領域Ａに再進入するまで、ＯＳＤ３０にリプルカーソル４６の生成を中止させる。
【００１７】
図５Ａ及び５Ｂに示される更なる代替実施例においては、ユーザの指３４が領域Ａに進入した場合に、カーソル及び表示コントローラ２８が、ＯＳＤ３０に、影４８を持つカーソルの形をとるカーソルを表示画面１０上に生成させる。センサコントローラ２６により検出されたユーザの指のＺ座標に依存して、カーソルの影が、該カーソルのより近くに、又はより遠くに表示される。ユーザの指がディスプレイに近い程、前記影がカーソルに近づく。このことは図５Ａ及び５Ｂにおいて図で示される。図５Ａは、ユーザの指が領域Ａに最初に進入したときのカーソル４６及び影４８を示す。図５Ｂは、ユーザの指３４が表示画面に近づいた（より大きなユーザの手の図により示される）ときの、影４８に略重なるカーソル４６を示す。このことは、ユーザの指とディスプレイとの間の相対距離を該ユーザに視覚的に示し、連続的な可視のフィードバックを提供するという利点を持つ。ユーザが禁止領域Ｆに進入した後、カーソルの画像が視覚的に変更され、視覚的にユーザに警告しても良い。例えばこの場合、カーソルが赤くなり始めても良い。
【００１８】
上述の実施例に加えて、ユーザの指３４が領域Ａに進入し、Ｘ、Ｙ座標がボタン（例えばボタン「Ｃ」又は他のＧＵＩコントロール）の「目標領域」内である場合、該ボタンが該ボタンの状態の変化を示し、「押下」状態を表示し（又は強調され）、ユーザがアクティブなＧＵＩコントロールの上にいることを該ユーザに示しても良い。ユーザは次いで、該ユーザの指をＧＵＩコントロールの目標エリアの外に移動させ得るが、このことは該ＧＵＩコントロールを初期状態に戻す。又はユーザは、例えば出力「Ｃ」を選択するため、前記ボタンをアクティブにし得る。アクティブ化は、多くの方法により実行され得る。例えば、ユーザは、所定の時間よりも長く、該ボタンの上に該ユーザの指を維持し、その後に該ボタンがアクティブにされ対応する出力が生成されても良い。代替として、ユーザは該ユーザの指を、ディスプレイに垂直な方向に該ボタンから離れる方向に移動させ、ユーザの指が当該ボタンについて定義されたアクティブ化領域内に留まった状態で前記第１の閾値と交差したときに、該ボタンがアクティブにされても良い。本発明は、ボタンをアクティブにするためのこれら２つの例示されたメカニズムのみに限定されるものではないことは認識されるべきである。本発明の範囲内である他の多くの代替例が可能である。
【００１９】
本発明は特定の実施例を参照しながら説明されたが、添付された請求項に記載された本発明の精神及び範囲から逸脱することなく、多くの変更が為され得ることは認識されるであろう。本明細書及び図面は従って例示的なものであり、添付される請求の範囲を制限することを意図したものではない。
【００２０】
添付される請求項の解釈において、以下のことが理解されるべきである。
ａ）「有する（comprising）」なる語は、請求項に列記されたもの以外の要素又は処理の存在を除外するものではない。
ｂ）要素に先行する「１つの（a又はan）」なる語は、複数の斯かる要素の存在を除外するものではない。
ｃ）請求項におけるいずれの参照記号も当該請求項の範囲を限定するものではない。
ｄ）幾つかの「手段（means）」は、同一のハードウェアのアイテム又はソフトウェアを実装された構造若しくは機能により表され得る。
ｅ）いずれの開示される要素も、ハードウェア部分（例えば別個の及び組み込まれた電子回路を含む）、ソフトウェア部分（例えばコンピュータプログラム）及びこれらのいずれかの組み合わせを有しても良い。
ｆ）ハードウェア部分は、アナログ部分及びディジタル部分の一方又は両方を有しても良い。
ｇ）いずれの開示される要素又はその部分も、明示的に記されていない限り、組み合わせられても良く又は更なる部分に分離されても良い。
ｈ）明示的に示されていない限り、特定の処理のシーケンスが必要とされることは意図されない。
【図面の簡単な説明】
【００２１】
【図１（Ａ）】静電センサアレイが内蔵された表示装置のブロック図である。
【図１（Ｂ）】図１（Ａ）のセンサアレイの検出線を示す図である。
【図２】表示画面の表面から延在する許可領域及び禁止領域を示す図である。
【図３（Ａ）】非アクティブ状態における表示画面上のアイコンを示す。
【図３（Ｂ）】アクティブ状態における表示画面上のアイコンを示す。
【図４】許可領域におけるユーザの指の存在によりアクティブにされるリプルカーソルを示す。
【図５（Ａ）】許可領域におけるユーザの指の存在によりアクティブにされるリプルカーソルを、該リプルカーソルの影と共に示す。
【図５（Ｂ）】許可領域におけるユーザの指の存在によりアクティブにされるリプルカーソルを、該リプルカーソルの影と共に示す。
【図１Ａ】
2008505381.tif 000003
【図１Ｂ】
2008505381.tif 000004
【図２】
2008505381.tif 000005
【図３Ａ】
2008505381.tif 000006
【図３Ｂ】
2008505381.tif 000007
【図４】
2008505381.tif 000008
【図５Ａ】
2008505381.tif 000009
【図５Ｂ】
2008505381.tif 000010
【国際調査報告】
2008505381.tif 000011
2008505381.tif 000012
2008505381.tif 000013
2008505381.tif 000014